(57)【要約】【課題】振子マスを設計通りに往復動させて所期の振動減衰性能を得ることができる捩り振動減衰装置を提供する。【解決手段】回転体１の半径方向で外側部分に設けられ、その回転体１のトルク変動によって揺動する振子マス２を備えた捩り振動減衰装置において、振子マス２は、振子マス２の中心を通りかつ揺動方向に対して垂直な軸線を中心に回転させられる回転コア６を有し、回転コア６は、振子マス２が回転体１の回転中心軸線を中心軸として公転することにともない回転体１の周囲の流体から抗力を受けることにより回転コア６を回転させるブレード部８を備えている。【選択図】図１
2015086934.tif 000002
【特許請求の範囲】
【請求項１】
回転体の半径方向で外側部分に設けられ、その回転体のトルク変動によって揺動する振子マスを備えた捩り振動減衰装置において、
前記振子マスは、前記振子マスの中心を通りかつ揺動方向に対して垂直な軸線を中心に回転させられる回転コアを有し、
前記回転コアは、前記振子マスが前記回転体の回転中心軸線を中心軸として公転することにともない前記回転体の周囲の流体から抗力を受けることにより前記回転コアを回転させるブレード部を備えていることを特徴とする捩り振動減衰装置。
【発明の詳細な説明】
【技術分野】
【０００１】
この発明は、クランクシャフトや動力伝達軸などの回転体の捩り振動を減衰するための装置に関し、特に転動する慣性質量体の往復運動もしくは振子運動を利用して回転体の捩り振動を減衰するように構成された装置に関するものである。
【背景技術】
【０００２】
この種の装置の一例が特許文献１に記載されている。その構成について簡単に説明すると、プーリの外周側にプーリの軸線方向に凹んだ凹部が形成されており、その凹部内に剛体振り子が収容されている。その凹部の外周側の内壁面に剛体振り子が往復動する案内面が形成されており、その案内面上を剛体振り子がプーリの捩り振動に応じて転動しながら往復動することにより、プーリの前記捩り振動を減衰するように構成されている。
【０００３】
また、特許文献２には、ハブの外周側に形成された収容室内に、転動マスと粘性流体とが封入されて構成された装置が記載されている。その構成について簡単に説明すると、転動マスは一対の大径部と、それらの大径部の間に配置される小径部と、その小径部の外周面に放射状に取り付けられた複数のフィンとによって構成されている。上記の収容室は、ハブの軸線方向に凹んだ有底円筒形状に形成されており、その開口部がカバーによって閉じられている。また収容室の外周側の内壁面に前記大径部が接触するマス受け面が形成されている。上記のフィンの端部は大径部における外周面よりも半径方向で内周側に配置されている。そのため、例えばハブに伝達されるトルクが急変した場合に、上記のフィンが粘性流体から抗力を受けることにより、トルクの急変に伴う転動マスの運動を抑制して転動マスと収容室の壁面との衝突を防止するように構成されている。
【０００４】
さらに特許文献３には、２本の接合エレメントによって互いに接合された１対の振子質量体が前記接合エレメントを介して振子フランジに揺動可能に取り付けられて構成された装置が記載されている。具体的には、上記の接合エレメントはスペーサーピンであり、その各端部に振子質量体がそれぞれ取り付けられている。またスペーサーピンの中央部分にベアリングが取り付けられており、そのベアリングの外周面が振子フランジに形成された切り抜き孔に接触している。
【先行技術文献】
【特許文献】
【０００５】
【特許文献１】特開２００２−３４００９７号公報
【特許文献２】特開２０００−２９７８４３号公報
【特許文献３】特表２０１２−５２３５３３号公報
【発明の概要】
【発明が解決しようとする課題】
【０００６】
特許文献１に記載された構成では、剛体振り子が捩り振動に応じて案内面上を転動しながら往復動する場合に、その回転中心軸線と、プーリの回転中心軸線とはほぼ平行になっている。しかしながら、プーリの回転中心軸線に対して剛体振り子の回転中心軸線が傾くと、回転中心軸線方向における凹部の壁面と剛体振り子の側面とが接触して剛体振り子が設計通りの往復動を行うことができず、その結果、所期の振動減衰性能を得ることができない可能性がある。また特許文献２に記載されている装置は、特許文献１に記載されている装置と同様に、転動マスがマス受け面上を転動しながら往復動する場合に、その回転中心軸線と、ハブの回転中心軸線とはほぼ平行になっている。そのため、特許文献１に記載されている装置における課題と同様の課題がある。
【０００７】
また特許文献３に記載された構成では、各振子質量体が揺動する場合に、スペーサーピンの軸線と、振子フランジの回転中心軸線とはほぼ平行に構成されている。しかしながら、振子フランジの回転中心軸線に対してスペーサーピンの軸線が傾くと、振子フランジの回転面と、振子フランジに対向している振子質量体の側面における外周部分とが接触して振子質量体が設計通りの往復動を行うことができない可能性がある。そのため、所期の振動減衰性能を得ることができない可能性がある。
【０００８】
この発明は上記の技術的課題に着目してなされたものであり、振子マスを設計通りに往復動させて所期の振動減衰性能を得ることができる捩り振動減衰装置を提供することを目的とするものである。
【課題を解決するための手段】
【０００９】
上記の目的を達成するために、この発明は、回転体の半径方向で外側部分に設けられ、その回転体のトルク変動によって揺動する振子マスを備えた捩り振動減衰装置において、前記振子マスは、前記振子マスの中心を通りかつ揺動方向に対して垂直な軸線を中心に回転させられる回転コアを有し、前記回転コアは、前記振子マスが前記回転体の回転中心軸線を中心軸として公転することにともない前記回転体の周囲の流体から抗力を受けることにより前記回転コアを回転させるブレード部を備えていることを特徴とするものである。
【発明の効果】
【００１０】
この発明によれば、回転コアは、振子マスとともに回転体の回転中心を中心にして公転する。その場合に、ブレード部が、回転体の周囲の流体から抗力を受けることにより回転コアを回転させるトルクが生じ、そのトルクによって回転コアが回転させられる。その結果、ジャイロ効果により回転コアの回転中心軸が傾きにくくなる。つまり、回転コアおよびこれを保持している振子マスの回転中心軸線と回転体の回転中心軸線とが平行あるいはほぼ平行な状態に維持される。そのため、振子マスを設計通りに往復動させることができ、これにより所期の振動減衰性能を得ることができる。
【図面の簡単な説明】
【００１１】
【図１】この発明に係る捩り振動減衰装置の一例を示す図である。
【図２】図１に示すII-II線に沿う断面図である。
【図３】この発明における振子マスの一例を示す図である。
【図４】図３に示すIV-IV線に沿う断面図である。
【図５】この発明における振子マスの他の例を示す図である。
【図６】図５に示すVI-VI線に沿う断面図である。
【図７】図５に示すVII-VII線に沿う断面図である。
【発明を実施するための形態】
【００１２】
つぎにこの発明をより具体的に説明する。図１は、この発明に係る捩り振動減衰装置の一例を示しており、回転体１は円板状の部材であって、図示しないエンジンのクランクシャフトや変速機の回転軸あるいはトルクコンバータのポンプインペラーやタービンランナーなどと一体に回転するように構成されている。この回転体１の外周側の部分に回転体１のトルク変動に応じて往復動する振子マス２が回転体１の回転方向に一定の間隔をあけて複数取り付けられている。
【００１３】
図２は、図１に示すII-II線に沿う断面図である。図１および図２に示すように、回転体１の外周部に、その円周方向に長く板厚方向に貫通した貫通部３が形成されている。その貫通部３内に振子マス２が収容されている。貫通部３の外周側の内壁面は、振子マス２が遠心力によって押し付けられる面であって、回転体１の中心から半径方向で外側にずれた所定の点を中心とした円弧面あるいはその円弧面に近似したサイクロイド曲面に形成された転動面４となっている。したがって、転動面４はその長手方向での中央部が、回転体１の中心から最も遠く、ここが中立点Ｐ0 となっており、その中立点Ｐ0 から左右にずれるほど回転体１の中心に次第に近づくようになっている。なお、転動面４をサイクロイド曲面として形成する場合には、中立点Ｐ0 を始点とした左右の両側がサイクロイド曲面となっている。転動面４がこのような形状に形成されていることにより、回転体１が回転して振子マス２に遠心力が作用すると、振子マス２は転動面４における中立点Ｐ0 に押し付けられ、この状態で回転体１のトルクが変動することにより振子マス２が中立点Ｐ0 を挟んで往復動する。
【００１４】
図３は、この発明における振子マス２の一例を示しており、図４は、図３に示すIV-IV線に沿う断面図である。振子マス２は円筒形状の転動部５と、その転動部５の内部であってかつ転動部５の回転中心軸線と同軸上に設けられた回転コア６とを備えている。また、転動部５と回転コア６との間に複数のローラー７が設けられている。なお、ローラー７は図示しない保持器に保持されていてもよい。上述した転動部５および回転コア６の各回転中心軸線は、回転体１の回転中心軸線に対して平行もしくはほぼ平行になっている。上記の転動部５は、回転体１の板厚より僅かに長く形成された円筒形状の部分５ａと、その円筒部５ａの両端部に円筒部５ａの板厚より僅かに長く形成された抜け止め部５ｂとを有しており、円筒部５ａの内周面と、円筒部５ａの半径方向で内側における抜け止め部５ｂの内側壁面とによって溝部５ｃが構成されている。なお、上記の円筒部５ａの外周面が転動面４に接触している。また、転動部５の半径方向で外側であって抜け止め部５ｂの内側壁面が回転体１の側面に引っ掛かることにより、回転体１の回転中心軸線方向への振子マス２の移動が規制されている。
【００１５】
回転コア６は、上記の転動部５の軸長もしくは幅と同程度の軸長もしくは幅を持った円柱状の部材であって、その外周部に上記の溝部５ｃと同形状の溝部６ａが全周に亘って形成されている。その溝部６ｃと転動部５の溝部５ｃとの間に、上述した各ローラー７が配置されている。また、回転コア６の両側面に、回転コア６の回転中心から半径方向で外側に向けて円弧状に湾曲した複数のブレード部８が放射状に取り付けられている。図３に示す例では、回転コア６の回転中心軸線よりも上側に設けられたブレード部８は、矢印Ａで示す回転体１の回転方向に凹んでおり、これに対して図３で下側に設けられたブレード部８は、矢印Ａで示す回転体１の回転方向に凸となっている。つまり、図３で上側のブレード部８が回転体１の周囲の流体から受ける抗力と、下側のブレード部８が回転体１の周囲の流体から受ける抗力とに差を生じさせることにより、回転コア６を回転させるトルクを発生させるように構成されている。また、回転コア６の一方の側面に取り付けたブレード部８と、他方の側面に取り付けたブレード部８とは、回転コア６を挟んで対称になっている。さらに、各ブレード部８は、図３に示す例では、回転コア６の半径方向で内周側から外周側に向かって、回転中心軸線方向における幅が広くなっている。なお、図３に示す例では、各ブレード部８は回転コア６に所定の固定手段によって固定されている。
【００１６】
このように、この発明に係る捩り振動減衰装置は、全体としてコロ軸受のように構成されている。転動部５がコロ軸受におけるアウターレースに相当する構成となっており、回転コア６がコロ軸受におけるインナーレースに相当する構成となっている。
【００１７】
次に、上述したこの発明に係る捩り振動減衰装置の作用・効果について説明する。回転体１にトルクが作用して回転体１が図１に矢印Ａで示す方向に回転し始めると、振子マス２は回転体１の回転中心軸線を中心軸として公転するとともに遠心力によって、転動面４における中立点Ｐ0 に押し付けられる。その状態で回転体１のトルクが変動すると、振子マス２が中立点Ｐ0 を中心にして往復動する。また、振子マス２が公転すると、回転体１の周囲の流体がブレード部８に衝突する。その場合、上述したように、図３での上側のブレード部８が流体から受ける抗力と、図３での下側のブレード部８が流体から受ける抗力とに差が生じる。またここで、上述したように、転動部５と回転コア６との間にローラー７が設けられている。そのため、この抗力の差に応じたトルクが回転コア６に生じ、そのトルクによって回転コア６が図１や図３に矢印Ｂで示す方向に回転させられる。つまり回転コア６が転動部５に対して回転する。なお、例えば回転体１がトルクコンバータの内部に設けられている場合には、ブレード部８はトルクコンバータ内の潤滑油から抗力を受ける。また、回転体１が大気中に露出されている場合には、ブレード部８は回転体１の周囲の空気から抗力を受ける。
【００１８】
その結果、ジャイロ効果により回転コア６および振子マス２の姿勢が変化しにくくなり、それらの回転中心軸線が回転体１の回転中心軸線に対して平行あるいはほぼ平行な状態に維持される。そのため、例えばエンジンや車両の走行に伴う振動などの外力が振子マス２に作用しても、振子マス２が回転体１の側面に接触することがなく、あるいは接触するとしても僅かであるから、振子マス２を設計通りに往復動させることができる。またこれにより所期の振動減衰特性を得ることができる。なお、エンジン回転数および回転体１の回転数が「０」に向けて低下している過渡状態であっても、振子マス２の姿勢が変化しにくくなる。
【００１９】
図５は、この発明における振子マスの他の例を示しており、図６は、図５に示すVI-VI線に沿う断面図であり、図７は、図５に示すVII-VII線に沿う断面図である。ここに示す例は、例えば切削によって回転コア６の両側面にブレード部８を一体的に形成した例である。そのため、図５から図７に示す構成の捩り振動減衰装置では、図３および図４に示す例と比較して部品点数を少なくできる。また、図３および図４に示す例と同様に、振子マス２を設計通りに往復動させて所期通りの振動減衰性能を得ることができる。
【００２０】
なお、この発明は上述した例に限定されないのであって、貫通部３の外周側の内壁面を溝状に窪ませ、その溝に転動部５を配置するなど、適宜に形状あるいは構造を変更してもよい。
【符号の説明】
【００２１】
１…回転体、  ２…振子マス、  ６…回転コア、  ８…ブレード部。
【図１】
2015086934.tif 000003
【図２】
2015086934.tif 000004
【図３】
2015086934.tif 000005
【図４】
2015086934.tif 000006
【図５】
2015086934.tif 000007
【図６】
2015086934.tif 000008
【図７】
2015086934.tif 000009